(57)【特許請求の範囲】
【請求項１】
マウスパッドの本体を該マウスパッドとは異なる材質のケースに収納するとともに、該マウスパッドのマウス操作面材料と実質的に同一の材料片をその触感を確認可能に露出するよう前記ケースに収納してマウスパッド包装体を構成し、マウスパッドの購入希望者が、包装体中のマウスパッド本体に触れることなく、前記マウス操作面材料と実質的に同一の前記材料片で該マウス操作面の触感を確認できるように包装体を構成することを特徴とするマウスパッドの包装方法。
【発明の詳細な説明】
【０００１】
【発明の属する技術分野】
この発明はマウスパッドの包装方法に関し、さらに詳細にいえば、展示、販売などのためにマウスパッドを所定形状のケースに収容するためのマウスパッドの包装方法に関する。
【０００２】
【従来の技術】
従来からコンピュータに対する入力装置としてのマウスが広く採用されるようになってきており、このマウスを操作するためのマウスパッドとしても種々の形状、材質のものが提供されている。
このマウスパッドは、マウスの操作に伴なってマウスに内蔵されているマウスボールをスムーズに転動させるためのものであるから、展示中にマウスパッドの表面に塵埃が付着することを防止すべく、マウスパッドを所定形状のケースに収容した状態で展示、販売などに供されることが一般的である。
【０００３】
【発明が解決しようとする課題】
しかし、マウスパッドを所定形状のケースに収容した状態では、購入希望者などはマウスパッドの外観をケースを通して、またはケースに表示された図面、写真などによって確認することができるだけであり、マウスパッドの性能に直結する触感を確認することができない。ここで、触感はマウスボールをスムーズに転動させる性能に直結しているのであるから、購入希望者にとっては是非とも確認したいという要求が強い。
【０００４】
このような不都合を解消するために、マウスパッドをケースから取り出した状態で展示することが行われているが、この場合には、ケースから取り出して展示しているマウスパッドに塵埃などが付着してしまい、また、展示期間が長くなるとマウスパッドの表面が磨耗してしまい、このマウスパッドを販売に供することができなくなってしまう。
【０００５】
【発明の目的】
この発明は上記の問題点に鑑みてなされたものであり、マウスパッドに対する塵埃の付着、マウスパッドの磨耗を確実に防止することができ、しかもマウスパッドの触感を簡単に確認することができるようにするためのマウスパッドの包装方法を提供することを目的としている。
【０００６】
【課題を解決するための手段】
請求項１のマウスパッドの包装方法は、マウスパッドの本体を該マウスパッドとは異なる材質のケースに収納するとともに、該マウスパッドのマウス操作面材料と実質的に同一の材料片をその触感を確認可能に露出するよう前記ケースに収納してマウスパッド包装体を構成し、マウスパッドの購入希望者が、包装体中のマウスパッド本体に触れることなく、前記マウス操作面材料と実質的に同一の前記材料片で該マウス操作面の触感を確認できるように包装体を構成する方法である。
【０００７】
【作用】
請求項１のマウスパッドの包装方法であれば、マウスパッドの本体を該マウスパッドとは異なる材質のケースに収納するとともに、該マウスパッドのマウス操作面材料と実質的に同一の材料片を、別途、その触感を確認可能に露出するよう前記ケースに収納してマウスパッド包装体を構成し、マウスパッドの購入希望者が、包装体中のマウスパッド本体に触れることなく、マウス操作面材料と実質的に同一の前記材料片で該マウス操作面の触感を確認できるように包装するので、該一部露出されて設けられた材料片に触れることにより触感を簡単に確認することができる。そして、触れることができるのは材料片のみであり、マウスパッドには触れることができないのであるから、材料片が磨耗してもマウスパッドは全く磨耗しない。そして、マウスパッドはケース中に収納されたままであるから、マウスパッドに塵埃が付着するおそれは殆どない。
【０００８】
したがって、マウスパッドを該マウスパッドとは異なる材質のケースに収納したままで展示していても、購入希望者はマウスパッドの触感を簡単に確認することができる。
【０００９】
【発明の実施の形態】
以下、添付図面によってこの発明の実施の態様を詳細に説明する。
図１はこの発明の包装方法によりマウスパッドを包装してなるマウスパッド包装体の一実施態様を示す一部切欠正面図、図２は図１のＩＩ−ＩＩ線断面図である。
【００１０】
このマウスパッド包装体は、所定形状のマウスパッド１と、マウスパッド１の周縁部に接する状態で配置される余剰体２と、マウスパッド１および余剰体２を収容する所定形状のケース３とからなり、ケース３の、余剰体２の表面に正対する所定位置に所定形状、所定サイズの開口４を形成してある。
前記マウスパッド１は、ゴムスポンジなどからなる裏面層と、マウスボールが接する表面層とからなる。ここで、表面層は、本革、アクリル繊維などからなるものであってもよいが、ポリエステルなどからなる超極細繊維の絡合体にポリウレタン樹脂などの弾性体を含浸させ、表面を起毛してなるものであることが好ましく、マウスボールの汚れを除去して長期間にわたるマウスボールのスムーズな転動を達成することができる。ただし、マウスパッド１の正面形状は、矩形、方形、円形、瓢箪形など、任意の形状に設定することができる。
【００１１】
前記余剰体２はマウスパッド２と同一の素材で構成され、かつ同一の層構造を有するものである。この余剰体２の正面形状は、どのような形状のものであってもよく、マウス操作面材料と実質的に同一の材料部分を有する小片が、該小片に触れることができるように露出されて、包装体上で設けられていればよい。ただし、ケース３に収容した状態を考慮すれば、マウスパッド１と接する状態で配置した場合に、全体としての外径が矩形または方形に近づくようにすることが好ましい。
【００１２】
前記ケース３は全体が合成樹脂などからなるものであり、マウスパッド１の厚みとほぼ等しい（僅かに大きい）厚みを有しているとともに、マウスパッド１および余剰体２の正面形状とほぼ等しい（僅かに大きい）平面形状またはマウスパッド１および余剰体２の外接長方形、もしくは外接正方形とほぼ等しい（僅かに大きい）平面形状を有している。また、図示していないが、マウスパッド１を取り出すための取り出し部を有している。
【００１３】
図示した態様例においては、前記開口４は、購入希望者などが簡単に余剰体２に触れて触感を確認することができる形状、サイズに設定されていればよい。
したがって、マウスパッド１をケース３に収納するとともに、該マウスパッド１のマウス操作面材料と実質的に同一の材料片（余剰体２の表面に相当する）をケース３上で一部露出させてマウスパッド包装体を構成することができるのである。この露出させる態様はこのような開口４に限られないが、要は、購入希望者がマウス操作面と同一の材料片に簡単に触れることができるように包装体全体を構成することが肝要である。
【００１４】
この発明の包装方法によりマウスパッドを包装してなるマウスパッド包装体の作用は次のとおりである。
ケース３内にマウスパッド１および余剰体２が収容されているとともに、開口４が余剰体２と正対しており、しかも余剰体２がマウスパッド１と同一の素材からなるとともに同一の層構造を有しているので、開口４を通して余剰体２の外観を簡単に確認することができるとともに、余剰体２に触れることにより簡単に触感を確認することができる。そして、マウスパッド１は開口４と正対していないので、マウスパッド１に塵埃が付着することを防止することができる。
【００１５】
したがって、マウスパッド包装体を展示しておくだけでよくなり、マウスパッド１に対する塵埃の付着防止および触感の確認を両立させることができる。
【００１６】
【発明の効果】
請求項１の発明は、マウスパッドの本体を該マウスパッドとは異なる材質のケースに収納するとともに、該マウスパッドのマウス操作面材料と実質的に同一の材料片を、別途、その触感を確認可能に露出するよう前記ケースに収納してマウスパッド包装体を得ることができ、このマウスパッド包装体の一部露出されて設けられた材料片に触れることにより触感を簡単に確認することができ、また、触れることができるのは材料片のみであり、マウスパッドには触れることができないのであるから、材料片が磨耗してもマウスパッドの磨耗を皆無にすることができ、しかも、マウスパッドは包装体に収納されたままであるから、マウスパッドに塵埃が付着するおそれを殆ど皆無にすることができるという特有の効果を奏する。
【図面の簡単な説明】
【図１】この発明の包装方法により得られたマウスパッド包装体の一実施態様を示す一部切欠正面図である。
【図２】図１のＩＩ−ＩＩ線断面図である。
【符号の説明】
１  マウスパッド    ２  余剰体
３  ケース    ４  開口
【図１】
0003741233.tif 000002
【図２】
0003741233.tif 000003